(57)【要約】      （修正有）【課題】断面楔形状の部分を有する合わせガラスに設けられた情報取得領域において、センサの情報取得性能を向上し、同時に、車外の風景やＨＵＤにより表示された情報は正確に視認できる合わせガラス。【解決手段】車外側ガラス板と車内側ガラス板との間に中間膜を有する合わせガラスであって、情報取得領域及び試験領域Ａを有し、前記情報取得領域は、前記合わせガラスを車両に取り付けたときに、前記試験領域Ａよりも上側に位置し、前記情報取得領域の周縁部の少なくとも一部は、平面視で着色セラミック層からなる遮蔽層で囲まれており、前記車外側ガラス板及び前記車内側ガラス板の何れか一方は、前記合わせガラスを車両に取り付けたときに、上端部の方が下端部よりも板厚が厚く、前記情報取得領域の異厚度合いをα、前記試験領域Ａの異厚度合いをβとしたとき、異厚度合いの比α／βが１．０１以上である。【選択図】図５
2020164397.tif 000002
【特許請求の範囲】
【請求項１】
車外側ガラス板と車内側ガラス板との間に中間膜を有する合わせガラスであって、
センサによる情報取得領域及びＪＩＳ規格Ｒ３２１２（２０１５）で規定される試験領域Ａを有し、
前記情報取得領域は、前記合わせガラスを車両に取り付けたときに、前記試験領域Ａよりも上側に位置し、
前記情報取得領域の周縁部の少なくとも一部は、平面視で着色セラミック層からなる遮蔽層で囲まれており、
前記車外側ガラス板及び前記車内側ガラス板の何れか一方は、前記合わせガラスを車両に取り付けたときに、上端部の方が下端部よりも板厚が厚く、
前記情報取得領域の異厚度合いをα、前記試験領域Ａの異厚度合いをβとしたとき、異厚度合いの比α／βが１．０１以上である合わせガラス。
但し、αは前記情報取得領域の重心における車外側ガラス板と車内側ガラス板の板厚の比（板厚の小さい方を分母とする）であり、βは前記試験領域Ａの重心における車外側ガラス板と車内側ガラス板の板厚の比（板厚の小さい方を分母とする）である。
【請求項２】
前記異厚度合いの比α／βが１．０３以上である請求項１に記載の合わせガラス。
【請求項３】
前記異厚度合いαが１．１以上である請求項１又は２に記載の合わせガラス。
【請求項４】
前記異厚度合いβが１．２５未満である請求項１乃至３の何れか一項に記載の合わせガラス。
【請求項５】
前記車外側ガラス板及び前記車内側ガラス板のうち、下端部と上端部との板厚の差が０．１ｍｍ以上であるガラス板において、下端部と上端部との板厚の差が１．０ｍｍ以下である請求項１乃至４の何れか一項に記載の合わせガラス。
【請求項６】
前記遮蔽層は、前記車内側ガラス板の車内側の面及び前記車外側ガラス板の車内側の面の一方又は両方に設けられている請求項１乃至５の何れか一項に記載の合わせガラス。
【請求項７】
平面視で前記情報取得領域の周縁部全体が前記遮蔽層に囲まれている請求項１乃至６の何れか一項に記載の合わせガラス。
【請求項８】
平面視で前記情報取得領域の周縁部の一部は前記遮蔽層に囲まれており、前記周縁部の他部は前記遮蔽層に囲まれていない請求項１乃至６の何れか一項に記載の合わせガラス。
【請求項９】
前記情報取得領域の前記遮蔽層に囲まれている部分の面積は１５００ｍｍ２以上である請求項１乃至８の何れか一項に記載の合わせガラス。
【発明の詳細な説明】
【技術分野】
【０００１】
本発明は、合わせガラスに関する。
【背景技術】
【０００２】
近年、車両のフロントガラスに画像を反射させて運転者の視界に所定の情報を表示するヘッドアップディスプレイ（以下、ＨＵＤとも言う。）の導入が進んでいるが、運転者が車外の風景やＨＵＤにより表示された情報を視認するに際し、透視二重像と反射二重像といった二重像が問題となる場合がある。そこで、ＨＵＤにおいて、二重像の問題を解消するために、断面楔形状の部分を有する合わせガラスがフロントガラスに採用されている（例えば、特許文献１参照）。
【０００３】
一方、車両に、外界の状態を認識するためにカメラ等のセンサが、例えばフロントガラスの内側に設置される場合がある。このような場合、カメラ等のセンサが情報を取得するための情報取得領域がフロントガラスの一部に設けられるが、情報取得領域の透視歪が大きいと、カメラ等のセンサの情報取得性能を悪化させる。特に情報取得領域の周囲に着色セラミック層からなる遮蔽層が形成される場合、着色セラミックとガラスとの熱吸収のしやすさの差によりフロントガラス成形時に透視歪が発生しやすい。
【０００４】
断面楔形状の部分を有する合わせガラスに遮蔽層で囲まれた情報取得領域を設ける場合においても、センサの情報取得性能を悪化させないようにする技術が要求されている。尚、車外の風景やＨＵＤにより表示された情報は正確に視認できることも併せて必要とされている。
【先行技術文献】
【特許文献】
【０００５】
【特許文献１】特開平０７−１７５００７号公報
【発明の概要】
【発明が解決しようとする課題】
【０００６】
本発明は、上記の点に鑑みてなされたものであり、断面楔形状の部分を有する合わせガラスに設けられた情報取得領域において、センサの情報取得性能を向上すること、また同時に、車外の風景やＨＵＤにより表示された情報は正確に視認できること、を目的とする。
【課題を解決するための手段】
【０００７】
本合わせガラスは、車外側ガラス板と車内側ガラス板との間に中間膜を有する合わせガラスであって、センサによる情報取得領域及びＪＩＳ規格Ｒ３２１２（２０１５）で規定される試験領域Ａを有し、前記情報取得領域は、前記合わせガラスを車両に取り付けたときに、前記試験領域Ａよりも上側に位置し、前記情報取得領域の周縁部の少なくとも一部は、平面視で着色セラミック層からなる遮蔽層で囲まれており、前記車外側ガラス板及び前記車内側ガラス板の何れか一方は、前記合わせガラスを車両に取り付けたときに、上端部の方が下端部よりも板厚が厚く、前記情報取得領域の異厚度合いをα、前記試験領域Ａの異厚度合いをβとしたとき、異厚度合いの比α／βが１．０１以上であることを要件とする。
【０００８】
但し、αは前記情報取得領域の重心における車外側ガラス板と車内側ガラス板の板厚の比（板厚の小さい方を分母とする）であり、βは前記試験領域Ａの重心における車外側ガラス板と車内側ガラス板の板厚の比（板厚の小さい方を分母とする）である。
【発明の効果】
【０００９】
開示の一実施態様によれば、断面楔形状の部分を有する合わせガラスに設けられた情報取得領域において、センサの情報取得性能を向上し、同時に、車外の風景やＨＵＤにより表示された情報は正確に視認できる。
【図面の簡単な説明】
【００１０】
【図１】第１の実施の形態に係る車両用のフロントガラスを例示する図である。
【図２】図１に示すフロントガラス２０をＸＺ方向に切ってＹ方向から視た部分断面図である。
【図３】第１の実施の形態の変形例に係る情報取得領域近傍の部分拡大図である。
【図４】実施例及び比較例について説明する図（その１）である。
【図５】実施例及び比較例について説明する図（その２）である。
【発明を実施するための形態】
【００１１】
以下、図面を参照して発明を実施するための形態について説明する。各図面において、同一構成部分には同一符号を付し、重複した説明を省略する場合がある。なお、ここでは、車両用のフロントガラスを例にして説明するが、これには限定されず、本実施の形態に係る合わせガラスは、車両用のフロントガラス以外、例えばサイドガラス、リアガラス等にも適用可能である。又、図では本発明の内容を理解しやすいように、大きさや形状を一部誇張している。
【００１２】
なお、平面視とはフロントガラスの所定領域を所定領域の法線方向から視ることを指し、平面形状とはフロントガラスの所定領域を所定領域の法線方向から視た形状を指すものとする。
【００１３】
〈第１の実施の形態〉
図１は、第１の実施の形態に係る車両用のフロントガラスを例示する図であり、図１（ａ）はフロントガラスを車室内から車室外に視認した様子を模式的に示した図である（フロントガラス２０はＺ方向を上方として車両に取り付けられた状態である）。図１（ｂ）は図１（ａ）の情報取得領域２５近傍の部分拡大断面図である。なお、図１（ｂ）において、便宜上、フロントガラス２０と共にカメラ３００を図示している。
【００１４】
図１に示すように、フロントガラス２０は、ＪＩＳ規格Ｒ３２１２（２０１５）で規定される試験領域Ａ及び情報取得領域２５を有している。又、フロントガラス２０の周縁部には遮蔽層２７が設けられている。試験領域Ａは平面視で遮蔽層２７に囲まれた領域の内側に位置し、情報取得領域２５は遮蔽層２７に設けられた開口部内に位置している。なお、情報取得領域２５は、フロントガラス２０を車両に取り付けたときに、運転者の視界を阻害しないと同時に、情報の取得に有利なため、試験領域Ａよりも上側に位置する。
【００１５】
情報取得領域２５の平面形状は、例えば、矩形、等脚台形、扇型である。情報取得領域２５の遮蔽層２７に囲まれている部分の面積は、例えば、１つの開口部当たり１５００ｍｍ２以上である。情報取得領域２５の遮蔽層２７に囲まれている部分の面積を１５００ｍｍ２以上とすることにより、カメラ３００等のセンサの情報取得に必要な画角を確保できる。情報取得領域２５が位置する遮蔽層２７の開口部の面積を、３０００ｍｍ２以上、４５００ｍｍ２以上、６０００ｍｍ２以上、９０００ｍｍ２以上としてもよい。
【００１６】
又、情報取得領域２５は複数有ってもよい。例えば、可視光カメラ対応の情報取得領域、赤外線センサ対応の情報取得領域等が別個に有る場合である。その場合、上述の面積は各情報取得領域別の面積である。又、情報取得領域２５の周囲が遮蔽層２７で囲まれていない場合は、カメラ等の画角に対応したフロントガラス２０の領域を上記情報取得領域２５とする。
【００１７】
情報取得領域２５は、フロントガラス２０の上辺周縁部に可視光、若しくは赤外線を取得するセンサとしてのカメラ３００が配置される場合の透視領域として機能する。但し、カメラ３００が配置されるのは一例であり、カメラ３００に代えて可視光を取得するセンサが配置される場合も同様に可視光を取得可能な情報取得領域２５が設けられる。可視光を取得するセンサとしては、例えば、照度センサが挙げられる。赤外線を取得するカメラとしては、例えば、ナイトビジョン、ＬｉＤＡＲ（Light Detection and Ranging）が挙げられる。
【００１８】
カメラ３００の光軸Ｏと、フロントガラス２０の内面２１とのなす角θは、例えば、６０ｄｅｇ以下である。θは５０ｄｅｇ以下、４０ｄｅｇ以下、３０ｄｅｇ以下、２５ｄｅｇ以下であってもよいが、θの値が小さいほど透視歪が発生し易くなり、本発明の効果が一層発揮される。
【００１９】
遮蔽層２７は、不透明な（例えば、黒色の）着色セラミック層であり、例えば、所定の色の印刷用インクをガラス面に塗布し、これを焼き付けることにより形成できる。フロントガラス２０の周縁部に不透明な遮蔽層２７が存在することにより、フロントガラス２０の周縁部を車体に保持するウレタン等の樹脂、またカメラ３００等のセンサを係止するブラケットをフロントガラスに貼り付ける接着部材が紫外線により劣化することを抑制できる。更に、太陽光等の外光によりセンサが誤作動することを抑制できる。
【００２０】
図２は、図１に示すフロントガラス２０をＸＺ方向に切ってＹ方向から視た部分断面図である。図２（ａ）に示すように、フロントガラス２０は、車内側ガラス板であるガラス板２１０と、車外側ガラス板であるガラス板２２０と、中間膜２３０とを備えた車両用の合わせガラスである。フロントガラス２０において、ガラス板２１０とガラス板２２０とは、中間膜２３０を挟持した状態で固着されている。中間膜２３０は、複数層の中間膜から形成されてもよい。
【００２１】
なお、図２（ａ）では遮蔽層２７は図示されていないが、遮蔽層２７はガラス板２１０の車内側の面（フロントガラス２０の内面２１）に設けてもよいし、ガラス板２２０の車内側の面に設けてもよいし、これらの両方の面に設けてもよい。すなわち、遮蔽層２７は、ガラス板２１０の車内側の面及びガラス板２２０の車内側の面の一方又は両方に設けることができる。
【００２２】
フロントガラス２０は、試験領域Ａ内又は試験領域Ａ外であって平面視で遮蔽層２７に囲まれた領域の内側に、ＨＵＤで使用するＨＵＤ表示領域を有してもよい。ＨＵＤ表示領域は、車内からの投影像を反射して情報を表示する表示領域である。ＨＵＤ表示領域は、車内に配置されたＨＵＤを構成する鏡を回転させ、ＪＩＳ Ｒ３２１２のＶ１点から見た際に、ＨＵＤを構成する鏡からの光がフロントガラス２０に照射される範囲とする。
【００２３】
フロントガラス２０において、車両の内側となるガラス板２１０の一方の面であるフロントガラス２０の内面２１と、車両の外側となるガラス板２２０の一方の面であるフロントガラス２０の外面２２とは、平面であっても湾曲面であっても構わない。
【００２４】
フロントガラス２０は、フロントガラス２０を車両に取り付けたときに、フロントガラス２０の下端側から上端側に至るに従って厚さが増加する断面楔形状に形成されており、楔角がδである。このような構成にすることで、ＨＵＤの二重像を抑制できる。なお、楔角δは、フロントガラス２０に沿った垂直方向の下端の厚さと上端の厚さとの差を、フロントガラス２０に沿った垂直方向の距離で割ったもの（すなわち、平均楔角）である。以降、ガラス板及び中間膜の楔角も上記のように定められる。なお、フロントガラス２０の下端側から上端側に至る厚さの増加は、増加の割合が一定である単調増加であってもよく、増加の割合が部分的に変化してもよい。
【００２５】
楔角δは、０．１ｍｒａｄ以上１．０ｍｒａｄ以下であることが好ましい。楔角δを０．１ｍｒａｄ以上とすることで、本発明の異厚度合いを十分大きな値にすることが容易となり、又ＨＵＤ二重像を抑制した上で透視二重像を十分に低減できる。又、楔角δを１．０ｍｒａｄ以下とすることで、フロントガラス２０の質量の増加を問題ない範囲内に抑制できる。楔角δは、０．１ｍｒａｄ以上０．９ｍｒａｄ以下であることがより好ましく、０．１ｍｒａｄ以上０．８ｍｒａｄ以下であることが更に好ましく、０．１ｍｒａｄ以上０．６ｍｒａｄ以下であることが更に好ましい。
【００２６】
フロントガラス２０において、ガラス板２２０は、フロントガラス２０を車両に取り付けたときに、上端部の方が下端部よりも厚く、下端部と上端部との板厚の差が０．１ｍｍ以上であることが好ましい。すなわち、ガラス板２２０は、フロントガラス２０を車両に取り付けたときに、フロントガラス２０の下端側から上端側に至るに従って板厚が増加する断面楔形状に形成されている。ガラス板２２０の下端部と上端部との板厚の差は、１．０ｍｍ以下であることが好ましい。ガラス板２２０の下端部と上端部との板厚の差を１．０ｍｍ以下とすることにより、合わせガラスの過度な質量増加を抑えることができる。
【００２７】
ガラス板２２０の楔角、すなわちフロントガラス２０の外面２２となる面と、中間膜２３０と接する面とのなす角はδｇである。図２（ａ）では、ガラス板２１０及び中間膜２３０の厚さが均一であるため、ガラス板２２０の楔角δｇは、フロントガラス２０の内面２１と外面２２とのなす合わせガラス全体の楔角δと等しい。
【００２８】
図２（ａ）では、車外側のガラス板２２０を断面楔形状にする例を示したが、図２（ｂ）に示すように、車内側のガラス板２１０を断面楔形状にしてもよい。すなわち、ガラス板２２０及び中間膜２３０の厚さを均一とし、ガラス板２１０を、フロントガラス２０を車両に取り付けたときに、上端部の方が下端部よりも厚く、下端部と上端部との板厚の差が０．１ｍｍ以上としてもよい。ガラス板２１０の下端部と上端部との板厚の差は、１．０ｍｍ以下であることが好ましい。ガラス板２１０の下端部と上端部との板厚の差を１．０ｍｍ以下とすることにより、合わせガラスの過度な質量増加を抑えることができる。ガラス板２１０とガラス板２２０が両方とも上記の断面楔形状であってもよい。
【００２９】
ガラス板２１０、２２０が断面楔形状である場合の楔角δｇは、０．１ｍｒａｄ以上１．０ｍｒａｄ以下であることが好ましく、０．１ｍｒａｄ以上０．９ｍｒａｄ以下であることがより好ましく、０．１ｍｒａｄ以上０．８ｍｒａｄ以下であることが更に好ましく、０．１ｍｒａｄ以上０．６ｍｒａｄ以下であることが更に好ましい。ガラス板２１０もしくは２２０のいずれか一方が断面楔形状であれば中間膜２３０が上記の断面楔形状であってもよい。
【００３０】
ガラス板２１０及び２２０は、例えば、フロート法によって製造できる。ガラス板２１０又はガラス板２２０をフロート法で製造する場合には、製造条件を工夫することで断面楔形状に形成できる。すなわち溶融金属上を進行するガラスリボンの幅方向の両端部に配置された複数のロールの周速度を調整することで、幅方向のガラス断面を凹形状や凸形状、或いはテーパー形状とし、任意の厚み変化を持つ箇所を切り出せばよい。又、平板ガラスを所定の方法で製造した後、表面を研磨加工して断面楔形状にしてもよい。
【００３１】
ガラス板２１０及び２２０としては、例えば、無機ガラスであるソーダライムガラス、アルミノシリケートガラス、無アルカリガラスや有機ガラス等を用いることができる。ガラス板２１０又は２２０が無機ガラスの場合、強化されていても強化されていなくてもよい。強化される場合は風冷強化又は化学強化により強化される。
【００３２】
フロントガラス２０の外側に位置するガラス板２２０の板厚は、最薄部が１．８ｍｍ以上３ｍｍ以下であることが好ましい。ガラス板２２０の板厚が１．８ｍｍ以上であると、耐飛び石性能等の強度が十分であり、３ｍｍ以下であると、合わせガラスの質量が大きくなり過ぎず、車両の燃費の点で好ましい。ガラス板２２０の板厚は、最薄部が１．８ｍｍ以上２．８ｍｍ以下がより好ましく、１．８ｍｍ以上２．６ｍｍ以下が更に好ましい。
【００３３】
フロントガラス２０の内側に位置するガラス板２１０の板厚は、０．３ｍｍ以上２．３ｍｍ以下であることが好ましい。ガラス板２１０の板厚が０．３ｍｍ以上であることによりハンドリング性がよく、２．３ｍｍ以下であることによりフロントガラス２０の質量が大きくなり過ぎない。
【００３４】
ガラス板２１０の板厚を０．３ｍｍ以上２．３ｍｍ以下とすることで、ガラス品質（例えば、残留応力）を維持できる。ガラス板２１０の板厚を０．３ｍｍ以上２．３ｍｍ以下とすることは、曲がりの深いガラスにおけるガラス品質（例えば、残留応力）の維持に特に有効である。質量と強度のバランスの点から、ガラス板２１０の板厚は、０．５ｍｍ以上２．１ｍｍ以下がより好ましく、０．７ｍｍ以上１．９ｍｍ以下が更に好ましい。
【００３５】
フロントガラス２０が湾曲形状である場合、ガラス板２１０及び２２０は、フロート法等による成形の後、中間膜２３０による接着前に、曲げ成形される。曲げ成形は、ガラスを加熱により軟化させて行われる。曲げ成形時のガラスの加熱温度は、大凡５５０℃〜７００℃である。
【００３６】
ガラス板２１０とガラス板２２０とを接着する中間膜２３０としては熱可塑性樹脂が使用できる。例えば、可塑化ポリビニルアセタール系樹脂、可塑化ポリ塩化ビニル系樹脂、飽和ポリエステル系樹脂、可塑化飽和ポリエステル系樹脂、ポリウレタン系樹脂、可塑化ポリウレタン系樹脂、エチレン−酢酸ビニル共重合体系樹脂、エチレン−エチルアクリレート共重合体系樹脂等の従来からこの種の用途に用いられている熱可塑性樹脂が挙げられる。又、特許第６０６５２２１号に記載されている変性ブロック共重合体水素化物を含有する樹脂組成物も好適に使用できる。
【００３７】
これらの中でも、透明性、耐候性、強度、接着力、耐貫通性、衝撃エネルギー吸収性、耐湿性、遮熱性、及び遮音性等の諸性能のバランスに優れることから、可塑化ポリビニルアセタール系樹脂が好適に使用できる。これらの熱可塑性樹脂は、単独で用いてもよいし、２種類以上を併用してもよい。上記可塑化ポリビニルアセタール系樹脂における「可塑化」とは、可塑剤の添加により可塑化されていることを意味する。その他の可塑化樹脂についても同様である。
【００３８】
上記ポリビニルアセタール系樹脂としては、ポリビニルアルコール（以下、必要に応じて「ＰＶＡ」と言うこともある）とホルムアルデヒドとを反応させて得られるポリビニルホルマール樹脂、ＰＶＡとアセトアルデヒドとを反応させて得られる狭義のポリビニルアセタール系樹脂、ＰＶＡとｎ−ブチルアルデヒドとを反応させて得られるポリビニルブチラール樹脂（以下、必要に応じて「ＰＶＢ」と言うこともある）等が挙げられ、特に、透明性、耐候性、強度、接着力、耐貫通性、衝撃エネルギー吸収性、耐湿性、遮熱性、及び遮音性等の諸性能のバランスに優れることから、ＰＶＢが好適なものとして挙げられる。なお、これらのポリビニルアセタール系樹脂は、単独で用いてもよいし、２種類以上を併用してもよい。但し、中間膜２３０を形成する材料は、熱可塑性樹脂には限定されない。  中間膜２３０の膜厚は、最薄部で０．５ｍｍ以上であることが好ましい。中間膜２３０の膜厚が０．５ｍｍ以上であるとフロントガラスとして必要な耐貫通性が十分となる。又、中間膜２３０の膜厚は、最厚部で３ｍｍ以下であることが好ましい。中間膜２３０の膜厚の最大値が３ｍｍ以下であると、合わせガラスの質量が大きくなり過ぎない。中間膜２３０の最大値は２．８ｍｍ以下がより好ましく、２．６ｍｍ以下が更に好ましく、２ｍｍ以下が更に好ましく、１ｍｍ以下が更に好ましい。
【００３９】
なお、中間膜２３０は、３層以上の層を有していてもよい。例えば、中間膜を３層から構成し、真ん中の層の硬度を可塑剤の調整等により両外側の層の硬度よりも低くすることにより、合わせガラスの遮音性を向上できる。この場合、両外側の層の硬度は同じでもよいし、異なってもよい。
【００４０】
中間膜２３０を作製するには、例えば、中間膜となる上記の樹脂材料を適宜選択し、押出機を用い、加熱溶融状態で押し出し成形する。押出機の押出速度等の押出条件は均一となるように設定する。その後、押し出し成形された樹脂膜を、フロントガラス２０のデザインに合わせて、上辺及び下辺に曲率を持たせるために、例えば必要に応じ伸展することで、中間膜２３０が完成する。
【００４１】
合わせガラスを製造するには、ガラス板２１０とガラス板２２０との間に中間膜２３０を挟んで積層体とし、例えば、この積層体をゴム袋の中に入れ、−６５〜−１００ｋＰａの真空中で温度約７０〜１１０℃で接着する。
【００４２】
更に、例えば１００〜１５０℃、圧力０．６〜１．３ＭＰａの条件で加熱加圧する圧着処理を行うことで、より耐久性の優れた合わせガラスを得ることができる。但し、場合によっては工程の簡略化、並びに合わせガラス中に封入する材料の特性を考慮して、この加熱加圧工程を使用しない場合もある。
【００４３】
ガラス板２１０とガラス板２２０との間に、本願の効果を損なわない範囲で、中間膜２３０の他に、赤外線反射、発光、発電、調光、可視光反射、散乱、加飾、吸収等の機能を持つフィルムやデバイスを有していてもよい。又、内面２１上に防曇、遮熱等の機能性膜を有してもよく、ガラス板２２０の車内側面もしくはガラス板２１０の車外側面上に遮熱の機能を有する膜を有してもよい。
【００４４】
なお、ＨＵＤのＦＯＶ（Field Of View：視野角）は、例えば、４ｄｅｇ×１ｄｅｇ以上である。ＨＵＤのＦＯＶは、５ｄｅｇ×１．５ｄｅｇ以上、６ｄｅｇ×２ｄｅｇ以上、７ｄｅｇ×３ｄｅｇ以上としてもよい。
【００４５】
このように、フロントガラス２０では、ガラス板２１０及び２２０の何れか一方を、フロントガラス２０を車両に取り付けたときに、フロントガラス２０の下端側から上端側に至るに従って厚さが増加する断面楔形状に形成している。言い換えれば、ガラス板２１０及び２２０の何れか一方は、下端部と上端部との板厚の差が０．１ｍｍ以上である。
【００４６】
本発明では、フロントガラス２０を車両に取り付けたときに下側となる試験領域Ａと上側となる情報取得領域２５とは、異厚度合いが異なる。ここで、本願明細書における異厚度合いとは、対象となる領域、例えば、情報取得領域２５や試験領域Ａの重心におけるガラス板２１０とガラス板２２０の板厚の比である。但し、重心位置の板厚の小さい方を分母とする。ここで、本願明細書における対象となる領域の重心とは、フロントガラス２０の外面２２の対象となる領域の表面積を基準とした重心を意味する。
【００４７】
フロントガラス２０では、情報取得領域２５の異厚度合いをα、試験領域Ａの異厚度合いをβとしたとき、異厚度合いαを異厚度合いβよりも大きな値としている。
【００４８】
一般に、車両用のガラスは曲面を有するため、ガラス板２１０とガラス板２２０との板厚の差が大きくなると、フロントガラス２０を作製する際の曲げ成形時にガラス板２１０とガラス板２２０の曲がり方の違いにより、合わせガラスとした時に透視歪が生じやすい。言い換えれば、ガラス板２１０とガラス板２２０との板厚の差（異厚度合い）を小さくすることで、フロントガラス２０を作製する際の曲げ成形時のガラス板２１０とガラス板２２０の曲がり方の違いが小さくなり、透視歪の発生を抑制できる。特に、情報取得領域２５の重心位置の縦方向の曲率半径が２００００ｍｍ以下、又試験領域Ａの重心の縦方向の曲率半径が２００００ｍｍ以下である場合に本発明の効果が一層高い。
【００４９】
ところが、異厚度合いが小さい方が透視歪の発生を抑制できるという傾向は、試験領域Ａには当てはまるが、情報取得領域２５には当てはまらないことを発明者らが見出した。すなわち、試験領域Ａとは異なり、情報取得領域２５では異厚度合いが大きい方が透視歪の発生を抑制できるという傾向があることを発明者らが見出した。情報取得領域２５では、試験領域Ａとは異なり周囲に着色セラミック層からなる遮蔽層２７が存在する点が影響しているものと考えられる。
【００５０】
フロントガラス２０では、異厚度合いの比α／βが１．０１以上となるように、α及びβを設定している。異厚度合いの比α／βが１．０１以上となる範囲において、情報取得領域２５の異厚度合いαは、１．１以上であることが好ましく、１．１５以上であることがより好ましく、１．２以上であることが更に好ましい。情報取得領域２５の異厚度合いαが上述の範囲であれば情報取得領域２５の透視歪を十分抑制できる。情報取得領域２５の異厚度合いαは、２枚のガラス板を合わせガラスにする際の成形性の点から２以下が好ましい。
【００５１】
又、試験領域Ａの異厚度合いβは、１．２５未満であることが好ましく、１．２未満であることがより好ましい。試験領域Ａの異厚度合いβが上述の範囲であれば、２枚のガラス板を合わせガラスにする際の成形性がよい。又、ガラス板の楔角を過剰に大きくすること無く情報取得領域２５の異厚度合いαを所定の範囲内にできるため、試験領域Ａの異厚度合いβは１．０１以上が好ましい。
【００５２】
異厚度合いの比α／βを１．０１以上とすることで、試験領域Ａにおける透視歪の抑制と、情報取得領域２５における透視歪の抑制とを両立できる。異厚度合いの比α／βの１．０１という値は、発明者らが検討を積み重ねた結果得られた実測値に基づくものである（後述の実施例参照）。
【００５３】
異厚度合いの比α／βは１．０２以上とすることが好ましく、１．０３以上とすることがより好ましく、１．０３５以上とすることが更に好ましく、１．０４以上とすることが特に好ましい。異厚度合いの比α／βの値が大きくなる程、試験領域Ａにおける透視歪を一層抑制できると共に、情報取得領域２５における透視歪を一層抑制できるからである。異厚度合いの比α／βが２以下であると、ガラス板２１０もしくは２２０の一方の楔角を過剰に大きくする必要が無く、楔角を有するガラス板を歪等の不具合が起きずに製造できるため、好ましい。
【００５４】
なお、カメラ３００の光軸Ｏと、フロントガラス２０の内面２１とのなす角θの値が小さいほどカメラ３００から見た場合の透視歪が強調されるため、異厚度合いの比α／βを１．０１以上とする意義が一層高くなる。θが３０ｄｅｇ以下で異厚度合いの比α／βが１．０２以上であることが好ましく、θが２５ｄｅｇ以下で異厚度合いの比α／βが１．０３以上であることが更に好ましい。
【００５５】
〈第１の実施の形態の変形例〉
第１の実施の形態の変形例では、情報取得領域の形状が第１の実施の形態と異なる例を示す。なお、第１の実施の形態の変形例において、既に説明した実施の形態と同一構成部についての説明は省略する場合がある。
【００５６】
図３は、第１の実施の形態の変形例に係る情報取得領域近傍の部分拡大図である。第１の実施の形態では平面視で情報取得領域２５の周縁部全体が遮蔽層２７に囲まれている形態としたが、これには限定されず、情報取得領域２５の周縁部の少なくとも一部が平面視で遮蔽層２７で囲まれた形態としてもよい。
【００５７】
例えば、図３（ａ）に示す情報取得領域２５Ａや図３（ｂ）に示す情報取得領域２５Ｂのように、周縁部の一部が遮蔽層２７に囲まれており、周縁部の他部が遮蔽層２７に囲まれていない形態としてもよい。例えば、情報取得領域２５の周縁部全体を囲む遮蔽層２７にスリット状の開口のような遮蔽層２７が不連続な領域を設けてもよい。この場合の情報取得領域２５の重心は、開口部の端部を直線で結んで囲まれた領域の重心を求めればよい。又、情報取得領域２５が複数有る場合は、情報取得領域ごとに本発明の関係を満たせばよい。
【００５８】
又、第１の実施の形態では情報取得領域２５の平面形状を矩形としたが、これには限定されない。例えば、図３（ａ）に示す情報取得領域２５Ａのように、平面形状を等脚台形としてもよいし、その他の平面形状としてもよい。
【００５９】
［実施例１〜４、比較例］
合わせガラスとした際に外板（車外側ガラス板）と内板（車内側ガラス板）となるガラス板を２枚準備した（ＡＧＣ社製  通称ＦＬ）。ガラス板の寸法は、２枚とも、上辺１２００ｍｍ、下辺１４００ｍｍ、高さ１０００ｍｍの平面視で等脚台形とした。内板の車内側面には図１（ａ）のような着色セラミック層を形成した。情報取得領域２５は平面視で上辺２０ｍｍ、下辺８０ｍｍ、高さ８０ｍｍの等脚台形形状の開口とした。２枚のガラス板には所定の曲率を有するように予め曲げ成形を施した。中間膜（積水化学工業社製  ＰＶＢ、厚み０．７６ｍｍ）を２枚のガラス板の間に挟み、真空下で加熱し仮圧着した後オートクレーブ処理により圧着してフロントガラスを作製した。
【００６０】
以上により情報取得領域２５及び試験領域Ａを有するフロントガラス（図１及び図２参照）を作製し、情報取得領域２５及び試験領域Ａの透視歪を評価した（比較例、実施例１〜実施例４）。なお、外板を楔角の異なる断面楔形状とすることで、比較例、実施例１〜実施例４において、情報取得領域２５の異厚度合いα、試験領域Ａの異厚度合いβ、及び異厚度合いの比α／βを異なる値にした。情報取得領域の重心位置の縦方向の曲率半径は２０００ｍｍ、又試験領域Ａの重心の縦方向の曲率半径が９０００ｍｍであった。
【００６１】
比較例、実施例１〜実施例４における情報取得領域２５の異厚度合いα、試験領域Ａの異厚度合いβ、及び異厚度合いの比α／βの値と、情報取得領域２５及び試験領域Ａの透視歪の絶対値の最大値の評価結果とを図４及び図５にまとめた。なお，透視歪は合わせガラスのレンズ作用の屈折力で表現されており、正は凸レンズ，負は凹レンズの作用を表しており、値が０に近いほど透視歪が小さいことを表す。透視歪は、ＩＳＲＡ  ＶＩＳＩＯＮ社製歪検査装置により測定した。
【００６２】
図４及び図５に示すように、異厚度合いの比α／βが１．００６である比較例では、試験領域Ａの透視歪は良好であるが情報取得領域２５の透視歪は許容値を超えた。なお、発明者らが検討を積み重ねた結果、透視歪の許容値は情報取得領域２５及び試験領域Ａとも絶対値で１４０［ｍｄｐｔ］以下である。
【００６３】
これに対して、異厚度合いの比α／βが１．０４７である実施例１、異厚度合いの比α／βが１．０３５である実施例２、異厚度合いの比α／βが１．０１４である実施例３、異厚度合いの比α／βが１．０２５である実施例４では、試験領域Ａの透視歪は比較例よりも大きくなったものの許容値の範囲内である。又、情報取得領域２５の透視歪は比較例よりも小さくなり、許容値の範囲内となった。
【００６４】
このように、試験領域Ａでは異厚度合いの比α／βが大きい方が透視歪が大きくなる傾向があり（図５の矢印Ｍ）、情報取得領域２５では異厚度合いの比α／βが大きい方が透視歪が小さくなる傾向がある（図５の矢印Ｎ）。そして、図５より、異厚度合いの比α／βを１．０１以上とすることにより、試験領域Ａの透視歪と情報取得領域２５の透視歪を何れも許容値の範囲内にできることがわかる。
【００６５】
すなわち、合わせガラスにおいて、内板又は外板を断面楔形状にして異厚度合いの比α／βを１．０１以上とすることにより、試験領域Ａの透視歪と情報取得領域２５の透視歪を何れも許容値の範囲内にできる。又、合わせガラスは断面楔形状を有するため、ＨＵＤの二重像も抑制できる。
【００６６】
以上、好ましい実施の形態等について詳説したが、上述した実施の形態等に制限されることはなく、特許請求の範囲に記載された範囲を逸脱することなく、上述した実施の形態等に種々の変形及び置換を加えることができる。
【符号の説明】
【００６７】
２０  フロントガラス
２１  内面
２２  外面
２５、２５Ａ、２５Ｂ  情報取得領域
２７  遮蔽層
２１０、２２０  ガラス板
２３０  中間膜
３００  カメラ
【図１】
2020164397.tif 000003
【図２】
2020164397.tif 000004
【図３】
2020164397.tif 000005
【図４】
2020164397.tif 000006
【図５】
2020164397.tif 000007